(57)【特許請求の範囲】
【請求項１】
画像データを受信する画像データ受信部と，
前記画像データ受信部が受信した画像データに基づいて画像を表示する表示部と，
前記表示部に対して光を供給する光源と，
前記表示部に表示された画像を視聴する場所の光量を検出する光量検出手段と，
前記表示部に表示された画像を視聴する際の使用環境を示し，少なくとも視聴が行われる場所の照明の色を示す情報と，視聴が行われる場所の壁の色を示す情報と，窓の位置の情報と，を入力する入力部と，
少なくとも前記光量検出手段によって検出された光量，前記入力部によって入力された照明の色を示す情報及び前記壁の色を示す情報に基づいて前記光源または前記画像の色相・色調を調整するための値を算出する輝度値算出手段と，
前記算出された値に基づいて前記光源または前記画像の色相・色調を調整する色調整部と，を具備し，
前記窓の位置の情報が，前記表示装置のフロント，サイド，バックうちの少なくとも１つであり，前記光量検出手段が，前記フロント，サイド，バックうちの少なくとも１つの光量を検出する
ことを特徴とする表示装置。
【請求項２】
前記照明の色を示す情報，前記壁の色を示す情報，前記窓の位置の情報に加えて，外部から入ってくる光の明るさ，床の色のいずれか1つの情報が前記入力部によって入力されること
を特徴とする請求項１記載の表示装置。
【請求項３】
前記入力された使用環境を示す情報に基づき，前記色調整部が，前記光源の光の色の比率を調整して前記画像の色相・色調を調整すること
を特徴とする請求項１または２に記載の表示装置。
【請求項４】
前記画像データが，輝度値を示す情報を有し，
前記色調整部が前記入力された使用環境を示す情報に基づき，前記各輝度値を示す情報を補正することで前記画像の色相・色調を調整すること
を特徴とする請求項１または２に記載の表示装置。
【請求項５】
前記画像データ受信部が前記画像データを含む電波を受信するためのチューナをさらに具備すること
を特徴をする請求項１ないし４のいずれか１項に記載の表示装置。
【発明の詳細な説明】
【技術分野】
【０００１】
本発明は、表示装置および画像の色相・色調の調整方法に関する。
【背景技術】
【０００２】
従来、部屋の明るさに応じて、表示装置に表示された画像のコントラストやブライトネスを変更する技術が開示されている。（例えば、特許文献１参照）。
ところで、表示装置に表示された画像は、部屋の照明の色などによって、本来と異なった色で視聴者に知覚されることがある。例えば、部屋の照明の色が赤みを帯びていた場合、視聴者には画像の色が本来よりも青白く感じられる傾向にある。
【特許文献１】特開平１１−１１２９０８号公報
【発明の開示】
【発明が解決しようとする課題】
【０００３】
本発明は、画像を視聴する際に、表示装置の使用環境に合わせて画像の色相・色調を容易に調整できる表示装置および画像の色相・色調の調整方法を提供することを目的とする。
【課題を解決するための手段】
【０００４】
上記の目的を達成するために本発明の表示装置は画像データを受信する画像データ受信部と，前記画像データ受信部が受信した画像データに基づいて画像を表示する表示部と，前記表示部に対して光を供給する光源と，前記表示部に表示された画像を視聴する場所の光量を検出する光量検出手段と，前記表示部に表示された画像を視聴する際の使用環境を示し，少なくとも視聴が行われる場所の照明の色を示す情報と，視聴が行われる場所の壁の色を示す情報と，窓の位置の情報と，を入力する入力部と，少なくとも前記光量検出手段によって検出された光量，前記入力部によって入力された照明の色を示す情報及び前記壁の色を示す情報に基づいて前記光源または前記画像の色相・色調を調整するための値を算出する輝度値算出手段と，前記算出された値に基づいて前記光源または前記画像の色相・色調を調整する色調整部と，を具備し，前記窓の位置の情報が，前記表示装置のフロント，サイド，バックうちの少なくとも１つであり，前記光量検出手段が，前記フロント，サイド，バックうちの少なくとも１つの光量を検出することを特徴とする。
【発明の効果】
【０００５】
本発明の表示装置は、画像を視聴する際の使用環境に合わせて、画像の色相・色調を容易に変更できる。
【発明を実施するための最良の形態】
【０００６】
（第１の実施形態）
以下、図面を参照して、本発明の第１の実施形態に係る液晶表示装置１を詳細に説明する。図１は、液晶表示装置１の構成を示すブロック図である。図２は液晶表示装置１が備えるメモリ部６５が記憶するテーブルT１〜T３を示す概念図である。
液晶表示装置１は、バックライトユニット１０、表示部２０、画像データ受信部３０、ビデオ回路部４０、入力部５０、色調整部６０、光源制御部７０を備える。
【０００７】
バックライトユニット１０は複数の光源ユニット１１を有し、表示部２０に光を供給する。バックライトユニット１０は、表示部２０、特に後述の液晶パネル２１の裏側に配置される。バックライトユニット１０と液晶パネル２１の間には図示はしないが一対の拡散板とこの拡散板に挟まれたプリズムシートが設けられる。拡散板は光源ユニット１１の光を散乱、拡散させ表示部２０に供給される光の明るさにムラが出るのを防止する。
プリズムシートは、光源ユニット１１から供給された光の輝度を向上させるためのものである。
光源ユニット１１は、マトリクス状に配置され、光源制御部７０に制御され発光する。
【０００８】
光源ユニット１１は、互いに異なる発光色（例えば、赤（Ｒ）、緑（Ｇ）、青（Ｂ）の３原色）の複数のＬＥＤ（Light Emitting Diode）を有する。ＲＧＢのＬＥＤからの光を混合することで、白色光が得られる。また、ＲＧＢの輝度の比率を制御することで、光源ユニット１１それぞれでの色温度を変更できる。
例えば、赤色ＬＥＤを強い輝度で発光させ、他の色のＬＥＤを弱い輝度で発光させると色温度は低くなり、青色ＬＥＤを強く、他の色のＬＥＤを弱い輝度で発光させれば色温度は高くなる。
光源ユニット１１それぞれでの色温度を変更することで、バックライトユニット１０全体としての色合い（色相）や色の鮮やかさ・色の明るさ（色調）を制御することができる。
【０００９】
なお、光源ユニット１１にはＬＥＤに限定されることなく種々の発光素子を使用できる。この発光素子は、例えば、有機ＥＬ（Electro Luminescence）、や無機ＥＬ、レーザダイオード(Laser Diode)が挙げられる。また、光源ユニット１１は３原色の光を供給するものに限定されず、さらに複数色の光を供給するものであってもよい。
【００１０】
表示部２０は、液晶パネル２１、ゲートドライバ２２、ソースドライバ２３から主に構成されている。
液晶パネル２１は、特別図示をしないが、それぞれ走査線とデータ線が配置される２枚のガラスの間に液晶材料をはさんで構成される。走査線とデータ線は、互いに交差し、ゲートドライバ２２およびソースドライバ２３によって駆動される。
走査線とデータ線が交差する箇所は画素に対応する。走査線とデータ線に電圧を印加することで、この画素それぞれでＲ、Ｇ、Ｂを発色させ、液晶パネル２１上にカラー画像を表示する。
走査線とデータ線に印加する電圧の強弱を制御することで画素それぞれでのＲ、Ｇ、Ｂの色調などを制御することができる。
【００１１】
ゲートドライバ２２は、走査線にパルス状の電圧波形を順次出力する。ソースドライバ２３はゲートドライバ２２からのパルス状の電圧波形の出力に対応して、信号線にパルス状の電圧波形を出力する。
【００１２】
画像データ受信部３０は、液晶表示装置１の外部から種々の映像信号（画像データ）を受信し、この受信した画像データをビデオ回路部４０に出力する。画像データ受信部３０は、画像受信インターフェース３１、チューナユニット３２を備える。
画像受信インターフェース３１は例えば、ＨＤＭＩ（High-Definition Multimedia Interface）端子、コンポーネント端子、コンポジット端子などを備え、液晶表示装置１と外部接続機器（例えば、ＤＶＤプレーヤ、同レコーダ、ＰＣ）などが接続される。
外部接続機器から画像データが入力される。
【００１３】
チューナユニット３２は図示をしないアンテナなどと接続され、地上アナログ波、地上デジタル波、衛星放送用電波などに乗せられた種々の画像データを受信する。
【００１４】
「画像データ」は、例えば、Ｒ、Ｇ、Ｂの画素データから構成される。これらＲ、Ｇ、Ｂの画素データそれぞれが液晶パネル２１の画素と対応する。画素データはそれぞれの画素の明るさを示す情報としての輝度値を有する。
【００１５】
ビデオ回路部４０は、ゲートドライバ２２、ソースドライバ２３を制御して画像データ受信部３０から出力される画像データに対応する画像を表示部２０（液晶パネル２１）に表示させる。
ビデオ回路部４０は、画像データを一時的に記憶する画像メモリ（図示せず）を有する。この画像メモリに書き込まれた画像データが画像として表示部２０に表示される。
【００１６】
ビデオ回路部４０は画像データ受信部３０から出力される画像データを構成する画素の輝度値になるようゲートドライバ２２、ソースドライバ２３を制御して液晶パネル２１の画素での透過率を変更させる。
入力部５０は、例えば、タッチパネルや押下式のボタン群、キーボードなどである。入力部５０は、これらに準ずるボタンを搭載した図示はしないリモコンからのコマンドを受信する受信装置（例えば赤外線受信装置）を含む。
【００１７】
色調整部６０は、バックライトユニット１０の色相・色調を調整する色調整部としても機能する。バックライトユニット１０の色相・色調が調整されることで結果的に表示部２０に表示される画像の色相・色調が調整される。
色調整部６０は、制御部６１、輝度値算出部６２、設定メニュー作成部６３、メモリ部６５を備える。
制御部６１は、輝度値算出部６２、設定メニュー作成部６３、メモリ部６５をそれぞれ制御する。
制御部６１は入力部５０の入力操作を常時監視している。制御部６１は入力部５０の入力操作により輝度値算出部６２を制御し、光源ユニット１１の各ＬＥＤの輝度値を算出させる。
制御部６１は光源制御部７０を制御して、輝度値算出部６２が算出した輝度値で光源ユニット１１の各ＬＥＤを発光させる。
【００１８】
輝度値算出部６２は、画像の色相・色調を調整するための輝度値を算出する輝度値算出手段として機能する。
輝度値算出部６２は光源ユニット１１の各ＲＧＢのＬＥＤを発光させるための輝度値を算出する。
設定メニュー作成部６３は、液晶表示装置１の使用環境を示す情報（以下、使用環境の情報と称す。）を入力するための設定メニューを作成する。「設定メニュー」は液晶表示装置１の使用環境に合わせて、表示部２０に表示される画像の色相・色調を調整するためのものである。
設定メニューはメモリ部６５に記憶される。設定メニューは入力部５０の操作によって適宜メモリ部６５から読み出され、表示部２０に表示される。
「使用環境の情報」は液晶表示装置１が設置されている部屋の照明の色を示す情報（照明環境）を含む。「使用環境の情報」はさらに、部屋の壁の色の情報、部屋の外部から入ってくる光の明るさ、床の色、床の種類の情報を含むこともある。
【００１９】
図２に示すように、メモリ部６５は使用環境の情報とＲＧＢの輝度の比率を示す係数（図中の「ＲＧＢ輝度比係数」）が対応付けられたテーブルＴ１〜Ｔ３を記憶する。
テーブルＴ１は、部屋の照明の色とＲＧＢの輝度の比率を表すＲ用係数ｋｒ１、Ｇ用係数ｋｇ１、Ｂ用係数ｋｂ１が対応されて表される。「照明の色」は例えば「昼光色」、「白色」、「電球色」の項目から構成され、例えば、「昼光色」に対応する各係数はｋｒ１＝０．６、ｋｇ１＝０．５、ｋｂ１＝０．５である。
すなわち、「昼光色」に対応するＲＧＢの輝度の比率はＲ：Ｇ：Ｂ＝０．６：０．５：０．５となる。
【００２０】
テーブルＴ２は、部屋の壁の色とＲＧＢの輝度の比率を表すＲ用係数ｋｒ２、Ｇ用係数ｋｇ２、Ｂ用係数ｋｂ２が対応されて表される。
「壁の色」は「明るい」、「普通」、「暗い」の項目から構成され、例えば、「明るい」に対応する各係数はｋｒ２＝０．６、ｋｇ２＝０．５、ｋｂ２＝０．７である。
【００２１】
テーブルＴ３は、外部から入ってくる光の明るさ（図中の「光の明るさ」）とＲＧＢの輝度の比率を表すＲ用係数ｋｒ３、Ｇ用係数ｋｇ３、Ｂ用係数ｋｂ３が対応されて表される。
「外部から入ってくる光の明るさ」は「明るい」、「普通」、「暗い」の項目から構成され、例えば、「明るい」に対応する各係数はｋｒ３＝０．６、ｋｇ３＝０．４、ｋｂ３＝０．５である。
次に図３を用いて、バックライトユニット１０の光の色と光源ユニット１１の関係について説明する。図３は色度図である。
色度図は、ＲＧＢの3色の混合により生成される全ての色を網羅したものである。
バックライトユニット１０から表示部２０に供給される光は、光源ユニット１１が有する各ＬＥＤの輝度の比率を変化させることで色度図上の各色となる。
【００２２】
例えば、ＢのＬＥＤを発光させず（すなわちＢの輝度値が０）、Ｒ、ＧのＬＥＤを発光させた場合、結果的にバックライトユニット１０の光は黄色となる（このときＲ、ＧのＬＥＤの輝度の比率は１：１とする）。
ここでＲまたはＧのＬＥＤの輝度値を変化させることで光の色（色相）を変化させることができる。具体的にはＲＬＥＤの輝度に対してＧＬＥＤの輝度が低くしていけば黄色からオレンジ色へと色が変化する。逆にＧＬＥＤの輝度に対してＲＬＥＤの輝度が低くしていけば黄色から緑がかった黄色へと色が変化する。
ＲＧＢのＬＥＤのいずれか１つを発光させた場合、ＬＥＤの輝度に対応して色の色調（明るさおよび鮮やかさ）が変化する。具体的にはＲＬＥＤのみを発光させた場合、ＲＬＥＤの輝度の変化に対応して暗い赤、明るい赤というように色調が変化する。
例えばテーブルＴ１に記憶されたＲＧＢの輝度比に基づいて各ＬＥＤが発光した場合、光源ユニット１１は赤紫となり、結果としてバックライトユニット１０がこの赤紫の光を表示部２０に供給することになる。
なお、例えば、テーブルＴ２に記憶された「明るい」に対応するＲＧＢの輝度比に基づいて各ＬＥＤが発光した場合、光源ユニット１１は青紫色となる。
ＲＧＢのＬＥＤが同じ輝度で発光した場合、光源ユニット１１はＬＥＤの輝度値に応じて灰色（黒色）から白色までのいずれかの色（すなわちグレイスケール）となる。
【００２３】
次に輝度値算出部６２による各ＬＥＤの輝度値の算出について説明する。
ＲＧＢのＬＥＤの各輝度値はＴ＝Ｔ０＊ｋ１＊ｋ２＊ｋ３で表される。ＴはＬＥＤの輝度値。Ｔ０はＬＥＤの基準となる輝度値。ｋ１〜ｋ３は係数。ｋ１、ｋ２、ｋ３の値が１の場合、輝度Ｔは最大となり、白色の光で発光する。
ＬＥＤの基準となる輝度値Ｔ０はあらかじめメモリ部６５に記憶させることができる。係数ｋ１〜ｋ３はメモリ部６５に記憶されたテーブルＴ１〜Ｔ３の各係数の値を用いることができる。
具体的には、ＲＬＥＤの輝度値ＲＴは、ＲＴ＝Ｔｒ０＊ｋｒ１＊ｋｒ２＊ｋｒ３で算出される。ＲＴはＲＬＥＤの輝度値。Ｔｒ０はＲＬＥＤの基準となる輝度値。ｋｒ１はテーブルＴ１に記憶された係数。ｋｒ２はテーブルＴ２に記憶された係数。ｋｒ３はテーブルＴ３に記憶された係数。
同様に、ＧＬＥＤの輝度値ＧＴは、ＧＴ＝Ｔｇ０＊ｋｇ１＊ｋｇ２＊ｋｇ３で算出される。ＧＴはＧＬＥＤの輝度値。Ｔｇ０はＧＬＥＤの基準となる輝度値。ｋｇ１はテーブルＴ１に記憶された係数。ｋｇ２はテーブルＴ２に記憶された係数。ｋｇ３はテーブルＴ３に記憶された係数。
ＢＬＥＤの輝度値ＢＴは、ＢＴ＝Ｔｂ０＊ｋｂ１＊ｋｂ２＊ｋｂ３で算出される。ＢＴはＢＬＥＤの輝度値。Ｔ０はＢＬＥＤの基準となる輝度値。ｋｂ１はテーブルＴ１に記憶された係数。ｋｂ２はテーブルＴ２に記憶された係数。ｋｂ３はテーブルＴ３に記憶された係数。
なお、ＬＥＤの輝度値は逐次的に算出してもよい。具体的にＲＬＥＤの輝度値を算出する場合を説明する。まずＲＴ１＝Ｔｒ０＊ｋｒ１の算出式によって第１のＲＬＥＤの輝度値を算出する。ＲＴ１はＲＬＥＤの輝度値。Ｔｒ０はＲＬＥＤの基準となる輝度値。ｋｒ１はテーブルＴ１に記憶された係数。
その後、算出式ＲＴ２＝ＲＴ１＊ｋｒ２（ＲＴ２はＲＬＥＤの輝度値。ＲＴ１は第１のＲＬＥＤの輝度値。ｋｒ２はテーブルＴ２に記憶された係数。）を用いて第２のＲＬＥＤの輝度値を求める。
さらに算出式ＲＴ３＝ＲＴ２＊ｋｒ３（ＲＴ３はＲＬＥＤの輝度値。ＲＴ２は第２のＲＬＥＤの輝度値。ｋｒ３はテーブルＴ３に記憶された係数。）を用いて第３のＲＬＥＤの輝度値を求める。
ＲＬＥＤを発光させる際には第３のＲＬＥＤの輝度値を用いる。なお、液晶表示装置１がテーブルＴ１のみを備える場合がある。この場合にはＲＬＥＤは第１の輝度値ＲＴ１で発光される。ＧＬＥＤ、ＢＬＥＤについても同様である。
【００２４】
次に図４を参照して表示部２０に表示される設定メニューについて説明する。図４は表示部２０に表示される設定メニューを示す概念図である。
設定メニューは複数の設定窓（図４のメニュー窓１０１や初期設定窓１０２、環境設定窓１０３）を備えている。
各設定窓の表示には優先順位が設定されており、例えば表示部２０にはまずメニュー窓１０１が表示され、視聴者が入力部５０を用いてメニュー窓１０１内の項目「初期設定」を選択することで初期設定窓１０２が表示される。
環境設定窓１０３は、初期設定窓１０２内の項目の１つである「室内状態設定」が入力部５０により選択されることで表示される。
【００２５】
環境設定窓１０３は照明の色を選択するための照明色選択窓１０３ａ、壁の色の明るさを選択するための壁色選択窓１０３ｂ、部屋の外部から入ってくる光の明るさを選択するための差し込み光選択窓１０３ｃを備える。
各選択窓１０３ａ〜１０３ｃ上には現在の設定項目を視聴者が容易に把握するために「照明の色は？」、「壁の色は？」、「昼間の明るさは？」などの種々の文字が表示される。
照明色選択窓１０３ａは「昼光色」、「白色」、「電球色」の選択項目を備える。
壁色選択窓１０３ｂおよび差し込み光選択窓１０３ｃはそれぞれ「明るい」、「普通」、「暗い」の選択項目を備える。
「昼光色」や壁の色の「明るい」などはテーブルＴ１〜Ｔ３の「照明の色」、「壁の色」、「光の明るさ」の各項目に対応する。
【００２６】
各設定窓１０１〜１０３ｃは、各項目を選択するためのポインタ１０４を備える。ポインタ１０４は入力部５０のボタン操作に連動して、各項目上を上下に移動する。視聴者は任意の項目にポインタ１０４が重なったときに入力部５０の図示はしない「決定ボタン」を押すことで、項目を選択することができる。
次に図５を用いて以上のように構成された液晶表示装置１での画像の色相・色調の調整方法について説明する。図５は画像の色相・色調の調整方法を示すフローチャートである。
（１）照明の色の情報を入力（ステップＳ１０１）
使用者が例えば入力部５０の「設定メニュー表示ボタン」（図示せず）を押すことで表示部２０に設定メニュー（図４参照）が表示される。さらに使用者は、入力部５０を用いて、環境設定窓１０３を表示させ、項目の１つである照明の色を「昼光色」、「白色」、「電球色」の中から１つ選択する。
【００２７】
（２）ＲＧＢのＬＥＤの輝度の変更（ステップＳ１０２）
照明の色が選択されたことに基づいて制御部６１がメモリ部６５に記憶された各ＬＥＤの基準輝度、テーブルＴ１を参照して輝度値算出部６２にＲＧＢのＬＥＤの輝度値を算出させる。
すなわち、「昼光色」、「白色」、「電球色」のいずれかと対応する係数ｋｒ１〜ｋｂ１などを参照し、各ＬＥＤの輝度値を算出させる。
制御部６１は算出された輝度値を光源制御部７０に送信する。光源制御部７０は受信した輝度値を用いて光源ユニット１１の各ＬＥＤを発光させる。このことにより光源ユニット１１のＲＧＢのＬＥＤはそれぞれ違う比率で発光し、結果的にバックライトユニット１０全体での光が色度図上の任意の色となる。このことにより表示部２０に表示された画像の色が変化することになる。
具体的には、部屋の照明の色が「電球色」だった場合、ＲのＬＥＤの輝度がＧ、ＢのＬＥＤの輝度よりも高くなるため、バックライトユニット１０の色は赤みが強くなり、赤紫となる。一般に部屋の照明が電球色だった場合、表示部２０に表示された画像は青白く知覚される傾向にあるため、バックライトユニット１０の光の赤みを強くすることにより青白く知覚されることを防止することができる。
【００２８】
（３）その他の環境情報入力・ＬＥＤ輝度変更（ステップＳ１０３〜Ｓ１０４）
照明の色の選択後、使用者はさらに壁の色、外部から入ってくる光の明るさについてそれぞれ「明るい」、「普通」、「暗い」の中から１つ選択することができる。
壁の色、外部から入ってくる光の明るさが選択されたことに基づいて制御部６１がメモリ部６５に記憶されたテーブルＴ２、Ｔ３の係数などを参照して輝度値算出部６２にＲＧＢのＬＥＤの輝度値を算出させる。
制御部６１は算出された輝度値を光源制御部７０に送信する。光源制御部７０は受信した輝度値に基づいて光源ユニット１１の各ＬＥＤの輝度を制御する。このことによりＲ、Ｇ、ＢのＬＥＤそれぞれの輝度が変化し結果的にバックライトユニット１０の色が変化する。
この後、画像データ受信部３０が受信した画像データ（例えばＤＶＤに収録された映画の画像データ）が表示部２０に表示される。
なお。ここでは「壁の色」、「外部から入ってくる光の明るさ」についてそれぞれの明るさを決定した後、ＬＥＤの輝度の調整を行ったが、壁の色を選択した後ＬＥＤの輝度を調整し、その後「外部から入ってくる光の明るさ」を決定してからさらにＬＥＤの輝度を調整するようにしてもよい（すなわち、ステップＳ１０３、Ｓ１０４を２回繰り返す）。
また、先に、「照明の色」、「壁の色」、「外部から入ってくる光の明るさ」を決定した後、まとめて各ＬＥＤの輝度値を算出するようにしてもよい。
【００２９】
なお、使用者は、「壁の色」、「外部から入ってくる光の明るさ」を選択せず、「照明の色」を選択することでのみバックライトユニット１０の光の色を変更をすることもできる。この場合、ＲＧＢのＬＥＤは第１の輝度値（すなわち、Ｔ１＝Ｔ０＊ｋ１で算出される輝度値。Ｔ１はＬＥＤの第１の輝度値。Ｔ０はＬＥＤの基準となる輝度値。ｋ１はテーブル１に記憶された係数。）で発光される。
この場合、液晶表示装置１はステップＳ１０２の動作終了後、光源ユニット１１の光の色の変更の制御を終了する。
以上のようにこの実施形態に係る液晶表示装置１によれば、表示部２０に表示される設定メニューの各項目を使用者が入力部５０を用いて選択するだけでバックライトユニット１０の光の色が変更され、結果として表示部２０に表示される画像の色相・色調が変化する。
従来、照明の色に起因する画像の色相・色調の補正は色に対する専門の知識を必要とする場合が多かった。全ての使用者がこのような専門的な知識を有しているとは考えられず、多くの使用者は、表示装置を使用する環境に適さない色相・色調で画像を視聴していた。
本願発明の液晶表示装置１によれば、液晶表示装置１の使用環境に応じてバックライトユニット１０の光の色を変化させ、最適な色相・色調で画像を視聴することができる。換言すれば、表示装置１の使用環境に最適な画質で画像を視聴することができる。
【００３０】
（第２の実施形態）
この発明の液晶表示装置１は、上記に限定されることなく種々の変形例が考えられる。例えば、バックライトユニット１０の光の色を変更することなく、ビデオ回路部４０が画像の色相・色調の変更を行うこともできる。
この場合の液晶表示装置２を図６に示して説明する。図６は第２の実施形態に係る液晶表示装置２を示すブロック図である。
なお以下の説明では第１の実施形態と同様の部分には同一符号を付し、詳細な説明は省略する。
この実施形態の液晶表示装置２はバックライトユニット１０、表示部２０、画像データ受信部３０、ビデオ回路部４００、入力部５０、色調整部６０、光源制御部７０を備える。
バックライトユニット１０は常時白色の光を表示部２０に供給する。
ビデオ回路部４００は輝度値算出手段および色調整部として機能する。
ビデオ回路部４００は輝度値算出部４０１、ドライバ制御部４０２を備える。
輝度値算出部４０１は画像データ受信部３０から画像データを受信する。さらに輝度値算出部４０１は色調整部６０が有する制御部６１からテーブルＴ１〜Ｔ３の各係数の値を受信する。
輝度値算出部４０１は受信したテーブルＴ１〜Ｔ３の各係数の値と、画像データを構成する画素データの輝度値に基づいて液晶パネル２１に画像を表示させる際に必要な画素の輝度値（ＲＧＢの各輝度値）を算出する。
ドライバ制御部４０２は算出した画素の輝度値になるようにゲートドライバ２２、ソースドライバ２３を制御して液晶パネル２１の画素での透過率を変更させる。
輝度値算出部４０１は次の式に基づき画素の輝度値を算出する。
Ｐ１＝ＲＰ０＊ｋ１＊ｋ２＊ｋ３。
Ｐ１は輝度値算出部４０１が算出した輝度値。ＲＰ０は画像データ受信部３０が出力した画素の輝度値。ｋ１はテーブルＴ１に記憶されている係数。ｋ２はテーブルＴ２に記憶されている係数。ｋ３はテーブルＴ３に記憶されている係数。
係数ｋ１〜ｋ３は第１の実施形態と同様、設定メニューにより決定される値を用いる。
【００３１】
輝度値算出部４０１は以上の演算式に基づいてＲＧＢの画素の輝度値を算出し、ゲートドライバ２２、ソースドライバ２３を制御して液晶パネル２１の画素での透過率を変更させることによって表示部２０に表示される画像の色相・色調を調整する。
すなわち、この実施形態の液晶表示装置２では、ビデオ回路部４００が画素の輝度値を算出することによって、バックライトユニット１０の光の色を変更しなくとも、テーブルＴ１〜Ｔ３に記憶された各定数の値によって表示部２０に表示される画素の輝度の比率が変化し、結果として画像の色相・色調が変化する。このことにより、表示装置２の使用環境に最適な色相・色調で画像を視聴することができる。換言すれば、表示装置２の使用環境に最適な画質で画像を視聴することができる。
【００３２】
（その他の実施の形態）
上記実施の形態では、画像の色相・色調を色調整部６０、ビデオ回路部４００のどちらか一方を用いて調整したが、ビデオ回路部４００および色調整部６０の双方を用いて画像の色相・色調を調整することもできる。
すなわち、色調整部６０が光源ユニット１１の輝度値を変更し、さらにビデオ回路部４００が表示部２０に表示する画像の輝度値を算出することで画像の色相・色調を調整することもできる。
また、上記実施の形態では、ＲＧＢのＬＥＤの輝度値を設定メニューを参照することで行ったが、液晶表示装置１または液晶表示装置２は、これに加えてＲＧＢのＬＥＤの輝度値を使用者が任意に設定し直す機能を備えることもできる。
具体的には、設定メニューの「照明の色」などが選択され、ＲＧＢのＬＥＤの各輝度値が算出された後、この算出された輝度値を増減させる。
このとき表示部２０には輝度値の増減を視聴者が視覚的に確認できるよう、例えばインジケータなどを表示する。視聴者はインジケータを確認しながら入力部５０のボタン操作（例えば入力部の「＋」ボタンや「−」ボタン）によってＲＧＢのＬＥＤの各輝度値を変更する。
【００３３】
また、液晶表示部１または液晶表示装置２は表示部２０の所定の場所に明るさセンサを備えることができる。明るさセンサは制御部６１によって制御される。明るさセンサによって液晶表示装置１の周辺（フロント、サイド、バックのいずれか）の光量を計測し、数値化する。
この場合、使用環境として「部屋の照明の色」、「部屋の壁の色」、「室内の外部から入ってくる光の明るさ」に加えて液晶表示装置１または液晶表示装置２に対する「窓の位置」の情報が付加される。
「窓の位置」は、液晶表示装置１が配置された位置に対して「フロント」、「サイド」、「バック」である。
メモリ部６５は「窓の位置」の情報と、この情報に対応するＲＧＢのＬＥＤの輝度の比率を表す係数が対応されて表されるテーブルＴ４を備え、さらに設定メニューは「窓の位置」の情報を決定するための項目を備える。
テーブルＴ４が記憶する係数は明るさセンサが計測した光量によって規定することができる。
使用者が、設定メニューを参照して、入力部５０を用いて「窓の位置」を決定することでこの「窓の位置」に対応する明るさセンサーの動作、非動作を制御することができる。
また、使用環境の設定メニューとして、液晶表示装置１または液晶表示装置２が配置された部屋の「床の色」「床の種類」を追加し、更に細かい画像の色相・色調の調整を行うことも可能である。
この場合、メモリ部６５は「床の色」や「床の種類」の情報と、これらの情報に対応するＲＧＢのＬＥＤの輝度の比率を表す係数が対応されて表されるテーブルＴ５、テーブルＴ６を備えることになる。
以上説明したように、使用環境に応じたパラメータを予め設定しておくことで、使用者は専門的な知識や調整を必要とせず、簡単に室内の状態に最適な画質で映像を楽しむことができる。
【図面の簡単な説明】
【００３４】
【図１】第１の実施形態に係る液晶表示装置１の構成を示すブロック図。
【図２】液晶表示装置１が備えるメモリ部６５が記憶するテーブルＴ１〜Ｔ３を示す概念図。
【図３】色度図。
【図４】表示部２０に表示される設定メニューを示す概念図。
【図５】画像の色相・色調の調整方法を示すフローチャート。
【図６】第２の実施形態に係る液晶表示装置２の構成を示すブロック図。
【符号の説明】
【００３５】
１，２…液晶表示装置、１０…バックライトユニット、１１…光源ユニット、２０…表示部、２１…液晶パネル、２２…ゲートドライバ、２３…ソースドライバ、３０…画像データ受信部、３１…画像受信インターフェース、３２…チューナユニット、４０，４００…ビデオ回路部、５０…入力部、６０…色調整部、６１…制御部、６２，４０１…輝度値算出部、６３…設定メニュー作成部、６５…メモリ部、７０…光源制御部、４０１…輝度値算出部。
【図１】
0004334596.tif 000002
【図２】
0004334596.tif 000003
【図３】
0004334596.tif 000004
【図４】
0004334596.tif 000005
【図５】
0004334596.tif 000006
【図６】
0004334596.tif 000007